(57)【要約】      （修正有）【課題】目視検査用拡大鏡の照明装置において、ワーク表面にあたる光の照度と方向を自由に変更できる目視検査用照明装置の提供する。【解決手段】前記した課題を解決する手段として、複数のＬＥＤを複数列配置した長方形の照明光源と、屈曲自在に変形保持する所定長さのフレキシブルアームと、フレキシブルアームの他端が拡大鏡に固定されるように構成された目視検査用照明を構成する。また、照明光源からでている電源線がフレキシブルアームの中をとおり、電源線の他端にはコンセントプラグが付いており、家庭用電源で使用できるように構成する。さらに、照明光源には照度調整手段が付いており、フレキシブルアームにはクリップをつけて照度および上下調整可能に構成する。【選択図】    図１
2006258589.tif 000002
【特許請求の範囲】
【請求項１】
本発明は、前記した課題を解決する手段として、複数のＬＥＤを複数列配置した照明光源と、照明光源の一端に固定され、屈曲自在に変形保持する所定長さのフレキシブルアームと、フレキシブルアームの他端が拡大鏡に固定されるように構成したことを特徴とする目視検査用照明。
【請求項２】
照明光源からでている電源線がフレキシブルアームの中をとおり、電源線の他端にはコンセントプラグが付いていることを特徴とする請求項１の目視検査用照明。
【請求項３】
照明光源には照度調整手段が付いていることを特徴とする請求項１および２の目視検査用照明。
【請求項４】
フレキシブルアームに固定された拡大鏡への固定具がクリップであることを特徴とする請求項１から３の目視検査用照明。
【発明の詳細な説明】
【技術分野】
【０００１】
本発明は、加工ライン等において、ワークの目視検査をおこなう拡大鏡に取り付ける照明装置および照明方法に関するものである。
【背景技術】
【０００２】
加工ラインにおいて、加工機で加工したワークに傷やバリが無いかを検査する必要があり、検査方法には作業者が拡大鏡を使って目視を行う場合や、カメラで撮影した画像を画像処理装置で判別する方法が行われている。
【０００３】
カメラで撮影した画像を画像処理装置で判別する方法は、大量生産された単一の部品を検査するのに適しているが、多品種少量生産される部品に対しては、ワーク毎に検査する箇所がそれぞれ違うため、作業者が拡大鏡により目視で検査する方法がとられている。
【０００４】
目視による検査方法は小さなワークであれば、机に固定された拡大鏡の下にワークを手で持ち、ワークの検査箇所が見やすい位置まで横方向および高さ方向に手または拡大鏡を移動し、拡大鏡の上から見て傷やバリが無いか調べる。
【０００５】
ワークの表面が暗いと傷やバリを見落としやすいので、照明を当てて明るくする必要があり、そのための方法として実公昭３１−１０８８０号公報の様に、レンズの下に円形の照明を固定し、ワークの表面が明るくなるようにした拡大鏡が考案され、広く使用されている。
【０００６】
しかしながら、これらの照明は均一かつ全面を照らすのに適しているが、凹凸のあるワークでは影になる部分ができてしまう。
【０００７】
そのため、特開平８−２２７１２号公報の様に四角形に指向性のある照明光源を設ける方法が提案されているが、目視検査用レンズにこれらの照明を取り付けると作業者の手と照明の４辺のどこかと近づき、照明装置の熱でやけどをしてしまうことがある。
【０００８】
また、ワークの種類や表面の状態により、明るすぎると見にくい場合や、陰影をつけて調べる場合があるが、上記の方法ではみることができない。
【特許文献１】実公昭３１−１０８８０号公報
【特許文献２】特開平８−２２７１２号公報
【発明の開示】
【発明が解決しようとする課題】
【０００９】
本発明は、目視検査用拡大鏡の照明装置において、ワーク表面にあたる光の照度と方向を自由に変更できる目視検査用照明装置を提供することを目的とする。
【課題を解決するための手段】
【００１０】
本発明は、前記した課題を解決する手段として、複数のＬＥＤを複数列配置した照明光源と、照明光源の一端に固定され、屈曲自在に変形保持する所定長さのフレキシブルアームと、フレキシブルアームの他端が拡大鏡に固定されるように構成された目視検査用照明を構成する。
【００１１】
また、照明光源からでている電源線がフレキシブルアームの中をとおり、電源線の他端にはコンセントプラグが付いており、家庭用電源で使用できるように構成する。
【００１２】
また、照明光源には照度調整手段が付いており、照明光源を調整することによりワークにあたる照度を自由に作業者が変更できるように構成する。
【００１３】
さらにフレキシブルアームに固定された拡大鏡への固定具がクリップであり、拡大鏡の固定アームに上下調整可能に構成する。
【発明の効果】
【００１４】
以上のように、指向性のある複数のＬＥＤを複数列配置した照明光源と、屈曲自在に変形保持する所定長さのフレキシブルアームを組み合わせたことで、照明光源の方向を作業者が自由に変更できるので、ワークにあたる光の方向や面積を自由に変更できるとともに、発行光源からワークまでの距離を作業者が決めることができるため、ワークの大きさや手の動く範囲でじゃまにならない位置に変えることができるようになった。
【００１５】
また、照明光源からでている電源線がフレキシブルアームの中をとおり、電源線の他端にはコンセントプラグが付いており、家庭用電源で使用できるようにすることで家庭用電源のある場所ならどこでも検査ができる。
【００１６】
また、照明光源には照度調整手段をつけることで、ワークにあたる照度を自由に作業者が変更できるため、作業者や環境が変わってもその時々で快適な照度に変更できる。
【００１７】
さらにフレキシブルアームに固定された拡大鏡への固定具をクリップにすることで、フレキシブルアームの長さや角度で対応できない位置への上下方向の調整も可能になった。
【発明を実施するための最良の形態】
【００１８】
以下、本発明の実施の形態を図面に基づいて説明する。
【実施例１】
【００１９】
図１に示すように本実施例の目視検査用照明は、長方形形状をした照明光源１と、照明光源１に固定されたフレキシブルアーム４とクリップ５が固定されている。
【００２０】
照明光源１の内部には長方形の照射面２の形状にそってＬＥＤが複数列配置されており、照射面２の反対側には照度調整手段３のツマミが配置されている。
【００２１】
フレキシブルアーム４の内部には、照射光源１からでている電源線６が通っており、その先端は家庭用のコンセントソケットに差し込みのできるコンセントプラグ７が接続されている。
【００２２】
また、フレキシブルアーム４の照明光源１と反対側にはクリップ５が固定されている。
【００２３】
次に固定方法であるが、図２に示すように拡大鏡の固定部を固定手段であるクリップ５ではさみ固定する。
【００２４】
フレキシブルアーム４が屈曲自在であるため、作業者がその時々で照明を当てたい位置や距離に動かすことができるとともに、照度調整手段３を設けたことにより作業者が見やすい明るさに調整することができる。
【産業上の利用可能性】
【００２５】
上記目視検査用照明は、目視検査を行う拡大鏡に取り付けることを目的としているが、たとえば制御盤の配線作業や加工機内の段取り作業の様に手元の暗い箇所で使用する照明に対しても有効である。
【図面の簡単な説明】
【００２６】
【図１】本実施例の全体図
【図２】本実施例の固定方法の説明図
【図３】本実施例の作業方法の説明図
【符号の説明】
【００２７】
１    照明光源
２    照射面
３    照度調整手段
４    フレキシブルアーム
５    クリップ
６    電源線
７    コンセントプラグ
８    拡大鏡
【図１】
2006258589.tif 000003
【図２】
2006258589.tif 000004
【図３】
2006258589.tif 000005